(57)【特許請求の範囲】
【請求項１】
打鍵によるハンマーの回動を打弦直前で停止させることにより、電子音源によるピアノ音と打弦音とを選択的に切り換えるピアノの発音制御装置において、
ハンマーシャンクと弦の間に回動自在に設けたストッパと、鍵盤の下方に設置され打弦位置と非打弦位置とを切り換える切換レバーと、前記ストッパと切換レバーとの間に配設されアウターチューブの中をインナー線が摺動自在に構成されたワイヤと、前記ワイヤーのインナー線の両端に設けた球状フックとを備え、
前記ストッパ及び前記切換レバーの連結部分において、ストッパ及び切換レバー自体に設けた丸孔と、当該丸孔位置に設けたフック固定金具に設けた錠孔との間に、前記球状フックが回転自在となるよう保持し、
前記フック固定金具に設けた錠孔は、前記球状フックを保持する際に通過する直径であるとともに、当該通過時にインナー線が通過する溝部を形成しており、
前記切換レバーの打弦位置と非打弦位置との切り換えに対応してストッパを連動させる際に、前記切換レバー及びストッパの回動に対応して、当該切換レバー及びストッパの丸孔に対して前記球状フックを回動自在となるように構成したことを特徴とするピアノの発音制御装置。
【発明の詳細な説明】
【０００１】
【発明の属する技術分野】
本発明は打弦直前にハンマーの回動を停止させることにより、電子音源によるピアノ音と打弦音とのいずれかを選択的に切り換えることが可能なピアノの発音制御装置に関するものである。
【０００２】
【従来の技術】
近年において、選択に応じて打鍵によるハンマーの回動を打弦直前に停止させることにより、電子音源によるピアノ音とアコースティックピアノの打弦音とを切り換えるピアノの発音制御装置が普及し、知られるようになった。
【０００３】
以下図面を参照しながら、上述した従来のピアノの発音制御装置について説明する。
【０００４】
図７は従来のピアノの発音制御装置の全体断面図である。図７において、鍵５１の下方にキーセンサ５２を配設し、楽音信号制御手段５３に接続する。一方、ペダル５４の下方にペダルセンサ５５を配設し、楽音信号制御手段５３に接続する。この楽音信号制御手段５３は電子音源を備えている。アクション機構５６を介して鍵５１と連動するハンマーシャンク５７と弦５８との間には回動自在なストッパ５９を配設し、ワイヤー６０を介して切換レバー６１と連動するよう取付けられる。切換レバー６１が非打弦位置にある時には打弦直前でハンマーシャンク５７がストッパ５９に当接し、打弦音が発せられることなく電子音源によるピアノ音のみがヘッドホン６２から出力される。
【０００５】
一方切換レバー６１が打弦位置にある時にはストッパ５９は弦５８方向へ移動し、ハンマーシャンク５７はストッパ５９に当接することなくハンマーヘッド６３が弦５８を打撃する。
【０００６】
図８は図７における従来のピアノの発音制御装置の主要部斜視図である。図８においてその構成を述べる。
【０００７】
切換レバー６１はバネ６４を介してネジ６５によってケース６６へ回動自在に保持される。切換レバー６１にはワイヤー固定ピン６７が止め輪６８によって固定される。ワイヤー６０はアウターチューブ６０ａの中をインナー線６０ｂが摺動自在に貫通するように構成されている。なお、アウターチューブ６０ａは軟質材料で形成されており、わん曲姿勢においてもインナー線６０ｂの動作が可能である。インナー線６０ｂの前端はワイヤー固定ピン６７の孔６７ａを貫通して止めネジ６９によって固定される。一方、インナー線６０ｂの後端には固定片７０が一体的に形成されており、ネジ７１によってストッパ５９に固定される。アウターチューブ６０ａと固定片７０の間にはブシュ７２とストッパ戻しバネ７３と座金７４、７５が介在する。ブシュ７２がねじ込まれたワイヤー保持金具７６はネジ７７によってアクションブラケット７８に固定される。ストッパ５９はハンマーシャンク５７を受け止める緩衝帯７９を有し、押え金具８０によってアクションブラケット７８に固定した軸８１と嵌合して回動自在に保持される。ケース６６にばね８２を介してねじ込まれるレバー調整ネジ８３によって切換レバー６１の回動量すなわちストッパ５９の回動量が調整できるとともに打弦モードにおけるストッパ５９の回動停止位置を調整できる。
【０００８】
図９は図８のＫ−Ｋ断面図であり打弦位置を示す。図１０は図８のＪ−Ｊ断面図であり打弦位置を示す。図１１は図８のＫ−Ｋ断面図であり非打弦位置を示す。図１２は図８のＪ−Ｊ断面図であり非打弦位置を示す。図９〜図１２においてその動作について述べる。
【０００９】
まず打弦位置において、ハンマーヘッド６３が弦５８を打撃する時、ストッパ５９の緩衝帯７９とハンマーシャンク５７の間に隙間Ｌが保たれるよう調整する。次に切換レバー６１をＮ方向へ操作してツメ８６に係合させるとストッパ戻しバネ７３が圧縮されながら非打弦位置となる。非打弦位置においてハンマーシャンク５７はストッパ５９の緩衝帯７９に当接する時、ハンマーヘッド６３と弦５８の間に隙間Ｍが保たれるよう調整する。次に再び切換レバー６１をＯ方向へ操作するとストッパ戻しバネ７３の復帰力でストッパ５９は打弦位置に戻る。
【００１０】
【発明が解決しようとする課題】
しかしながら、上記の従来の構成では、ワイヤー６０のインナー線６０ｂの前端をネジ６９によってワイヤー固定ピン６７に固定しているため、インナー線６０ｂにねじれが生じた状態でその後端の固定片７０をストッパ５９に固定すると、ワイヤー６０の摺動負荷が増大する。また、非打弦位置においてはストッパ５９が回動するためワイヤー６０のインナー線６０ｂの後端に変形部分Ｐが発生するとともに切換レバー６１の高さ移動によってワイヤー６０のインナー線６０ｂの前端に変形部分Ｑが発生してワイヤー６０の摺動負荷が増大する。その結果、切換レバー６１の操作力が重くなると同時にストッパ戻しバネ７３の復帰力では切換レバー６１が戻しきれないという課題があった。
【００１１】
本発明は上記の従来の課題を解決するもので、ハンマーシャンクストッパと切換レバーを連結するワイヤーの両端に回動自在に保持される球状フックを設けることにより、ワイヤーのねじれや変形姿勢からくる動作負荷の増大を軽減させることを目的とする。
【００１２】
【課題を解決するための手段】
この目的を達成するために本発明のピアノの発音制御装置は、ハンマーシャンクと弦の間に回動自在に設けたストッパと、鍵盤の下方に設置され打弦位置と非打弦位置とを切り換える切換レバーと、前記ストッパと切換レバーとの間に配設されアウターチューブの中をインナー線が摺動自在に構成されたワイヤと、前記ワイヤーのインナー線の両端に設けた球状フックとを備え、前記ストッパ及び前記切換レバーの連結部分において、ストッパ及び切換レバー自体に設けた丸孔と、当該丸孔位置に設けたフック固定金具に設けた錠孔との間に、前記球状フックが回転自在となるよう保持し、前記フック固定金具に設けた錠孔は、前記球状フックを保持する際に通過する直径であるとともに、当該通過時にインナー線が通過する溝部を形成している。
【００１３】
この構成により、前記切換レバーの打弦位置と非打弦位置との切り換えに対応してストッパを連動させる際に、前記切換レバー及びストッパの回動に対応して、当該切換レバー及びストッパの丸孔に対して前記球状フックが回動自在となり、ワイヤーにねじれが生じたり連結部分で変形を生じた場合でも、球状フックが回転して摺動負荷の最も少ない姿勢へと自らが回転して調整してくれるため動作負荷の増大を軽減できる。
【００１４】
【発明の実施の形態】
以下本発明の一実施の形態について図面を参照しながら説明する。
【００１５】
図１は本発明の一実施の形態におけるピアノの発音制御装置の全体断面図である。図１において、鍵１の下方にキーセンサ２を配設し、楽音信号制御手段３に接続する。一方ペダル４の下方にペダルセンサ５を配設し、楽音信号制御手段３に接続する。なお、楽音信号制御手段３は電子音源を備えている。アクション機構６を介して鍵１と連動するハンマーシャンク７と弦８との間には回動自在なストッパ９を配設し、ワイヤー１０を介して切換レバー１１と連動するよう取り付けられる。切換レバー１１が非打弦位置の時には打弦直前にハンマーシャンク７がストッパ９に当接し、打弦音が発せられることなく電子音源によるピアノ音のみがヘッドホン１２から出力される。一方、切換レバー１１が打弦位置の時にはストッパ９は弦８方向へ移動し、ハンマーシャンク７はストッパ９に当接することなくハンマーヘッド１３が弦８を打撃する。
【００１６】
図２は図１における本発明のピアノの発音制御装置の主要部斜視図である。図２においてその構成を述べる。
【００１７】
切換レバー１１はバネ１４を介してネジ１５によってケース１６へ回動自在に固定される。切換レバー１１にはフック固定金具１７がネジ１８によって固定される。ワイヤー１０はアウターチューブ１０ａの中をインナー線１０ｂが摺動自在に貫通するように構成されている。なお、アウターチューブ１０ａは軟質材料で形成されており、わん曲姿勢においてもインナー線１０ｂの動作が可能である。インナー線１０ｂの前端には球状フック１９が一体的に形成されており、切換レバー１１に設けた丸孔１１ａとフック固定金具１７に設けた錠孔１７ａの間に回転自在に保持される。錠孔１７ａは球状フック１９が通過する直径であるとともに錠孔１７ａの溝部１７ｂは球状フック１９を取り付ける時にインナー線１０ｂを傾けると通過する溝幅と角度Ｇを有している。一方、インナー線１０ｂの後端にも球状フック２０が一体的に形成されており、ストッパ９に設けた丸孔９ａとフック固定金具２１に設けた錠孔２１ａの間に回転自在に保持される。
【００１８】
錠孔２１ａは球状フック２０が通過する直径であるとともに錠孔２１ａの溝部２１ｂは球状フック２０を取り付ける時にインナー線１０ｂを傾けると通過する溝幅と角度Ｈを有している。アウターチューブ１０ａと球状フック２０の間にはブシュ２２とストッパ戻しバネ２３と座金２４、２５が介在する。ブシュ２２がねじ込まれたワイヤー保持金具２６はネジ２７によってアクションブラケット２８に固定される。ストッパ９はハンマーシャンク７を受け止める緩衝帯２９を有し、押え金具３０によってアクションブラケット２８に固定した軸３１と嵌合して回動自在に保持される。フック固定金具２１はネジ３２によってストッパ９に固定される。ケース１６にバネ３３を介してねじ込まれるレバー調整ネジ３４によって切換レバー１１の回動量すなわちストッパ９の回動量が調整できるとともに打弦モードにおけるストッパ９の回動停止位置を調整できる。ケース１６にロックナット３５を介してねじ込まれるワイヤー調整ネジ３６によって非打弦モードにおけるストッパ９の回動停止位置を調整できる。
【００１９】
図３は図２のＢ−Ｂ断面図であり打弦位置を示す。図４は図２のＡ−Ａ断面図であり打弦位置を示す。図５は図２のＢ−Ｂ断面図であり非打弦位置を示す。図６は図２のＡ−Ａ断面図であり非打弦位置を示す。図３〜図６において、その動作について述べる。
【００２０】
まず打弦位置において、ハンマーヘッド１３が弦８を打撃する時、ストッパ９の緩衝帯２９とハンマーシャンク７の間に隙間Ｃが保たれるよう調整する。次に、切換レバー１１をＥ方向に操作してツメ３７に係合させるとストッパ戻しバネ２３が圧縮されながら非打弦位置となる。非打弦位置において、ハンマーシャンク７がストッパ９の緩衝帯２９に当接する時、ハンマーヘッド１３と弦８の間に隙間Ｄが保たれるよう調整する。次に再び切換レバー１１をＦ方向へ操作するとストッパ戻しバネ２３の復帰力でストッパ９は打弦位置に戻る。
【００２１】
以上の動作において、ワイヤー１０のインナー線１０ｂの前端を回転自在な球状フック１９で切換レバー１１に保持し、同じくインナー線１０ｂの後端も回転自在な球状フック２０でストッパ９に保持しているため、インナー線１０ｂにねじれが生じた場合でも常に摺動負荷の最も少ない姿勢へと自らが回転して調整してくれる。また非打弦位置においては、ストッパ９が回動するためワイヤー１０のインナー線１０ｂの後端で変形姿勢となるが、球状フック２０が自ら回転してストッパ９との姿勢差を吸収し、摺動負荷を軽減してくれる。一方、切換レバー１１の高さ移動によってワイヤー１０のインナー線１０ｂの前端で変形姿勢となるが、これも球状フック１９が自ら回転して切換レバー１１との姿勢差を吸収し、摺動負荷を軽減してくれる。これらの結果、切換レバー１１の操作力は重くなることがなく、ストッパ戻しバネ２３の復帰力のみで切換レバー１１が安定的に戻せることになる。
【００２２】
以上のように本実施の形態によれば、ハンマーシャンクストッパと切換レバーを連結するワイヤーの両端に回転自在に保持される球状フックを設けることにより、ワイヤーのねじれや変形姿勢からくる動作負荷の増大を軽減できる。
【００２３】
【発明の効果】
以上のように本発明は、ハンマーシャンクと弦の間に回動自在に設けたストッパと、鍵盤の下方に設置され打弦位置と非打弦位置とを切り換える切換レバーと、前記ストッパと切換レバーとの間に配設されアウターチューブの中をインナー線が摺動自在に構成されたワイヤと、前記ワイヤーのインナー線の両端に設けた球状フックとを備え、前記ストッパ及び前記切換レバーの連結部分において、ストッパ及び切換レバー自体に設けた丸孔と、当該丸孔位置に設けたフック固定金具に設けた錠孔との間に、前記球状フックが回転自在となるよう保持し、前記フック固定金具に設けた錠孔は、前記球状フックを保持する際に通過する直径であるとともに、当該通過時にインナー線が通過する溝部を形成し、前記切換レバーの打弦位置と非打弦位置との切り換えに対応してストッパを連動させる際に、前記切換レバー及びストッパの回動に対応して、当該切換レバー及びストッパの丸孔に対して前記球状フックを回動自在となるように構成することにより、ワイヤーにねじれが生じたり、連結部分で変形を生じた場合でも、球状フックが自ら回転して摺動負荷の最も少ない姿勢へと自らが回転して調整してくれるため動作負荷の増大が少なく、電子音源によるピアノ音とアコースティックピアノの打弦音との切り換え動作の安定したピアノの発音制御装置を提供することができる。
【図面の簡単な説明】
【図１】本発明の一実施の形態におけるピアノの発音制御装置の全体断面図
【図２】図１の主要部斜視図
【図３】図２のＢ−Ｂ断面図（打弦位置）
【図４】図２のＡ−Ａ断面図（打弦位置）
【図５】図２のＢ−Ｂ断面図（非打弦位置）
【図６】図２のＡ−Ａ断面図（非打弦位置）
【図７】従来のピアノの発音制御装置の全体断面図
【図８】図７の主要部斜視図
【図９】図８のＫ−Ｋ断面図（打弦位置）
【図１０】図８のＪ−Ｊ断面図（打弦位置）
【図１１】図８のＫ−Ｋ断面図（非打弦位置）
【図１２】図８のＪ−Ｊ断面図（非打弦位置）
【符号の説明】
７  ハンマーシャンク
８  弦
９  ストッパ
１０ ワイヤー
１０ａ  アウターチューブ
１０ｂ  インナー線
１１  切換レバー
１３  ハンマーヘッド
１６  ケース
１７、２１  フック固定金具
１７ａ、２１ａ 錠孔
１７ｂ、２１ｂ 溝部
１９、２０ 球状フック
２２ ブシュ
２３ ストッパ戻しバネ
２６ ワイヤー保持金具
２８ アクションブラケット
２９ 緩衝帯
３０ 押え金具
３１ 軸
３４ レバー調整ネジ
３５ ロックナット
３６ ワイヤー調整ネジ
【図１】
0003817989.tif 000002
【図２】
0003817989.tif 000003
【図３】
0003817989.tif 000004
【図４】
0003817989.tif 000005
【図５】
0003817989.tif 000006
【図６】
0003817989.tif 000007
【図７】
0003817989.tif 000008
【図８】
0003817989.tif 000009
【図９】
0003817989.tif 000010
【図１０】
0003817989.tif 000011
【図１１】
0003817989.tif 000012
【図１２】
0003817989.tif 000013